【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
アルケニルエーテル基側鎖を有し、モノマー単位として、少なくとも1個のアルケニルエーテル基、特に、1−アルケニルエーテル基、及び少なくとも2個のヒドロキシル基（−OH）を含有する少なくとも1種のアルケニルエーテルポリオールを含有する少なくとも1種のポリマー、特に、ポリウレタン又はポリエステルを、少なくとも1種の単官能性又は多官能性アルコールと反応させることを含む、アセタール含有ポリマー、特に、アセタール含有ポリウレタン又はポリエステルポリマーの製造方法。
【請求項２】
該アルケニルエーテルポリオールが、
A）少なくとも1個のアルケニルエーテル基、ならびに−OH、−COOH、−SH、−NH2、及びそれらの誘導体から選択される少なくとも1個の官能基を含有するアルケニルエーテルを、（i）エポキシド又は（ii）環状カーボネート又はそれらの誘導体と反応させ；又は
B）少なくとも1個のアルケニルエーテル基、ならびに（i）エポキシド基及び（ii）環状カーボネート基又はそれらの誘導体から選択される少なくとも1個の官能基を含有するアルケニルエーテルを、アルコール、チオール、カルボン酸、又はアミン、又はそれらの誘導体と反応させる
ことによって得ることができる、請求項1に記載の方法。
【請求項３】
該アルケニルエーテルポリオールが、少なくとも1個のアルケニルエーテル基、ならびに−OH、−COOH、−SH、−NH2、及びそれらの誘導体から選択される少なくとも1個の官能基を含有するアルケニルエーテルを、（i）エポキシド又は（ii）環状カーボネート又はその誘導体と反応させることによって得ることができ、該アルケニルエーテルポリオールが、式（I）：
【化１】
2018534409.tif 000001
［式中、
R1は少なくとも二価有機基、特に、1から20個の炭素原子を有する少なくとも二価の直鎖状又は分岐鎖状の、置換された又は置換されていないアルキル、又は1から20個の炭素原子及び少なくとも1個の酸素又は窒素原子を有する直鎖状又は分岐鎖状の、置換された又は置換されていないヘテロアルキルであり、
R2は、少なくとも1個の−OH基及び／又は1から1000個の炭素原子を任意に含む有機基、特に、1から20個の炭素原子を有する任意に二価又は多価の直鎖状又は分岐鎖状の、置換された又は置換されていないアルキル、又は1から20個の炭素原子及び少なくとも1個の酸素又は窒素原子を有する直鎖状又は分岐鎖状の、置換された又は置換されていないヘテロアルキルであり、
Xは、O、S、C（＝O）O、OC（＝O）O、C（＝O）OC(＝O)O、NRx、NRxC（＝O）O、NRxC（＝O）NRx又はOC（＝O）NRxであり、
各R及びR’は、独立して、H、C1-20アルキル、及びC2-20アルケニルから選択され、特に、R及びR’の一方はHであって、他方はC1-4アルキルであるか、又はR及びR’の双方はHであり、
各A、B、及びCは、独立して、CR’’R’’’から選択され、
R’’及びR’’’は、独立して、H、官能基、及び有機基、特にH及びC1-20アルキルから選択され、又はR’’及びR’’’は共に、又はそれらが結合している炭素原子と共に有機基である、又は共に隣接する炭素原子に結合したR’’及びR’’’の2つは結合を形成して、隣接する炭素原子の間に二重結合を形成し、
【化２】
2018534409.tif 000002
は、単結合又は二重結合であり、もしそれが二重結合であれば、R2に結合した炭素原子はただ一つの置換基R’’又はR’’’を有し、
mは1から10の整数、好ましくは1であり、
n、p、及びoは、各々、0、又は1から10の整数であり、ここに、n＋p＋o＝1以上、特に、1又は2であり、及び
RxはH、有機基、又は
【化３】
2018534409.tif 000003
であり、もしRxが
【化４】
2018534409.tif 000004
でなければ、R2は−OH及び
【化５】
2018534409.tif 000005
から選択される少なくとも1個の置換基を含む］
のアルケニルエーテルポリオールであることを特徴とする、請求項2に記載の方法。
【請求項４】
該アルケニルエーテルポリオールが、少なくとも1個のアルケニルエーテル基、及び（i）エポキシド基及び（ii）環状カーボネート基又はそれらの誘導体から選択される少なくとも1個の官能基を含有するアルケニルエーテルを、アルコール、チオール、カルボン酸、若しくはアミン又はそれらの誘導体と反応させることによって得ることができ、該アルケニルエーテルポリオールは、式（V）：
【化６】
2018534409.tif 000006
［式中、
R1は少なくとも二価の有機基、特に、1から20個の炭素原子を有する少なくとも二価の直鎖状又は分岐鎖状の、置換された又は置換されていないアルキル、又は1から20個の炭素原子及び少なくとも1個の酸素又は窒素原子を有する直鎖状又は分岐鎖状の、置換された又は置換されていないヘテロアルキルであり、
R3は、任意に、1から1000個の炭素原子を含む有機基、特に、1から20個の炭素原子を有する任意に二価又は多価の、直鎖状又は分岐鎖状の、置換された又は置換されていないアルキル、1から20個の炭素原子及び少なくとも1個の酸素又は窒素原子を有する直鎖状又は分岐鎖状の、置換された又は置換されていないヘテロアルキル、又は式−O−［CHRaCH2O］b−Rb（式中、RaはH又はC1-4アルキル基であり、RbはH又は
【化７】
2018534409.tif 000007
であり、bは1から100である）の（ポリ）アルキレングリコールであり、
XはO、S、OC（＝O）、OC（＝O）O、OC（＝O）OC（＝O）、NRz、NRzC（＝O）O、NRzC（＝O）NRz又はOC（＝O）NRzであり、
各R及びR’は、独立して、H、C1-20アルキル、及びC2-20アルケニルから選択され、特に、R及びR’の一方はHであって、他方はC1-4アルキルであるか、又はR及びR’の双方はHであり、
各A及びBは、独立して、CR’’R’’’から選択され、
R’’及びR’’’は、独立して、H、官能基、及び有機基、特に、H及びC1-20アルキルから選択され、又はR’’及びR’’’は共に、又はそれらが結合している炭素原子と共に有機基であるか、又は共に隣接する炭素原子に結合したR’’及びR’’’の2つは結合を形成して、隣接する炭素原子の間に二重結合を形成し、
mは1から10の整数、好ましくは1であり、
s及びtは、各々、0、又は1から10の整数であり、ここで、s＋t＝1以上、特に1又は2であり、
RzはH、有機基、又は
【化８】
2018534409.tif 000008
であり、もしRzが
【化９】
2018534409.tif 000009
でなければ、R3は−OH及び
【化１０】
2018534409.tif 000010
から選択される少なくとも1個の置換基を含む]
のアルケニルエーテルポリオールであることを特徴とする、請求項2に記載の方法。
【請求項５】
該単官能性又は多官能性アルコールが、式（VI）：
R4（OH）u    （VI）
[式中、
R4は一価又は多価有機基、特に、1から20個の炭素原子を有する一価又は二価の、直鎖状又は分岐鎖状の、置換された又は置換されていないアルキル、又は1から20個の炭素原子及び少なくとも1個の酸素又は窒素原子を有する直鎖状又は分岐鎖状の、置換された又は置換されていないヘテロアルキルであり；及び
uは1から10の整数、好ましくは1から4である]
の化合物であることを特徴とする、請求項1〜4のいずれかに記載の方法。
【請求項６】
該単官能性又は多官能性アルコールが、ヒドロキシル基含有ポリマー、特に、好ましくは1から1000の官能性を有するポリアルコールであることを特徴とする、請求項1〜4のいずれかに記載の方法。
【請求項７】
ヒドロキシル基に対するアルケニルエーテル基のモル比が0.1から10、好ましくは0.8から4.0、さらにより好ましくは1.0から2.0の範囲にあることを特徴とする、請求項1〜6のいずれかに記載の方法。
【請求項８】
請求項1〜7のいずれかに記載の方法によって得ることができるアセタール含有ポリマー又は架橋された化合物。
【請求項９】
該ポリマーを、pH＜7を有する水性溶液と接触させることを特徴とする、請求項8に記載のポリマーをpHに基づいて分解させる方法。
【請求項１０】
該ポリマーを、pH＜7を有する水性溶液と接触させることを特徴とする、請求項8に記載のポリマーからヒドロキシル基含有化合物をpHに基づいて放出させる方法。
【請求項１１】
請求項8に記載の少なくとも1つのアセタール含有ポリマーを含有する、組成物、特に、接着剤組成物、シーラント組成物、コーティング剤組成物、3D印刷組成物、リソグラフィー組成物、又は化粧品若しくは医薬組成物。
【請求項１２】
請求項8に記載のアセタール含有ポリマーの、接着剤組成物、シーラント組成物、コーティング剤組成物、3D印刷組成物、リソグラフィー組成物、又は化粧品若しくは医薬組成物の成分としての使用。